(57)【要約】【課題】対応関係データが親器に登録されたことを関係設定器において知ることができるリモコンシステムを提供する。【解決手段】親器１に接続された信号線５に、個別制御スイッチ３ａおよび一括制御スイッチ３ｂを付設した端末器としての関係設定器２が接続される。親器１には識別コードを付与したリレー４が付設され、個別制御スイッチ３ａあるいは一括制御スイッチ３ｂが操作されると、親器１では個別制御スイッチ３ａあるいは一括制御スイッチ３ｂに対応関係データで対応付けたリレー４の開閉を制御する。対応関係データは、関係設定器２を用いて設定され、関係設定器２から親器１に転送される。親器１では関係設定器２から転送された対応関係データを登録すると、関係設定器２に通知し、関係設定器２のブザーを鳴動させる。【選択図】        図１
2006311339.tif 000002
【特許請求の範囲】
【請求項１】
信号線が接続される親器と、識別コードが付与されスイッチのオンオフ情報を信号線を通して親器に伝送する端末器と、識別コードが付与され端末器から親器に伝送されるオンオフ情報に呼応して親器が開閉を指示する複数個のリレーとを備えるリモコンシステムであって、親器は、スイッチとリレーとを識別コードにより対応付ける対応関係データが登録される関係記憶部と、信号線を通してスイッチのオンオフ情報を受けると対応関係データで当該スイッチに対応付けられたリレーの開閉を指示する親器制御部と、信号線を通して対応関係データを受けると対応関係データを関係記憶部に登録し登録完了後に登録通知を信号線に送出する登録処理部とを備え、信号線には対応関係データを作成し親器に転送する関係設定器が接続可能であって、関係設定器は、スイッチとリレーとの対応関係データを作成するデータ作成部と、作成した対応関係データを格納するデータ記憶部と、データ記憶部に格納された対応関係データを親器に転送する転送処理部と、転送処理部による対応関係データの転送後の規定時間内に親器からの登録通知を受信したときに受信報知を行う報知部とを備えることを特徴とするリモコンシステム。
【発明の詳細な説明】
【技術分野】
【０００１】
本発明は、スイッチのオンオフ情報をネットワーク技術を用いて親器に伝送し、親器がスイッチのオンオフ情報に基づいてリレーの開閉を指示するリモコンシステムに関するものである。
【背景技術】
【０００２】
従来から、この種のリモコンシステムとして、親器に接続した信号線に複数台の端末器を接続するとともに各端末器にスイッチまたはリレーを接続し、スイッチを接続した端末器から親器に対してスイッチのオンオフ情報を伝送し、リレーを接続した端末器に対して親器からリレーの開閉を指示することにより、遠方のスイッチのオンオフに対応付けてリレーを開閉させる技術が提供されている（たとえば、特許文献１参照）。
【０００３】
スイッチとリレーとを対応付けるために、スイッチおよびリレーには識別コードを付与し、親器において識別コードの対応関係を用いてスイッチとリレーとの対応付けを行っている。１台の端末器にスイッチまたはリレーを１個だけ接続可能なものでは、端末器のアドレスと識別コードとを一対一に対応させたものがある。また、１台の端末器にスイッチまたはリレーを複数接続可能なものでは、端末器のアドレスの下位情報として端末器内において個々のスイッチまたはリレーを識別するための負荷番号を組合せ、アドレスと負荷番号との組合せを識別コードに用いることによりスイッチまたはリレーを個別に識別するものがある。いずれの場合もスイッチとリレーとに個々に識別コードを付与したことと等価であるから、以下の説明では、スイッチとリレーとに個々に識別コードが付与されているものとして説明する。
【０００４】
親器には信号線が接続してあり、各端末器は信号線に接続される。また、親器には、スイッチとリレーとの対応関係が識別コードを用いて対応関係データとしてあらかじめ登録されており、スイッチの操作によるオンオフ情報を当該スイッチの識別コードとともに親器に伝送することにより、親器では対応関係データの識別コードを参照して当該スイッチに対応付けられたリレーを抽出し、抽出したリレーに対して開閉の指示を与える。したがって、親器に設定する対応関係データの内容により、スイッチとリレーとの対応関係を自由に設定することができる。
【０００５】
スイッチとリレーとは一対一に対応付けるほか、一対多に対応付けることも可能である。１個のスイッチを多回路のリレーに対応付け、１個のスイッチで複数個のリレーを一括して開閉する動作としては、１個のスイッチによる制御対象の範囲のリレーについて、個々に開閉状態を指定して制御するパターン制御と、全体を一括して同じ開閉状態に制御するグループ制御とがある。たとえば、リレーによって照明器具を制御するとすれば、パターン制御では個々の照明器具の点灯と消灯との状態と指定した対応関係データを設定し、グループ制御では制御対象の範囲内の照明器具を一括して点灯または消灯とする対応関係データを設定することになる。
【０００６】
グループ制御あるいはパターン制御を行うには、親器において対応関係データを記憶する関係記憶部において、グループ制御あるいはパターン制御を行うスイッチに対応するグループアドレスまたはパターンアドレスに、制御対象となる範囲のリレーの識別コードを対応付けておき、グループ制御あるいはパターン制御を行うスイッチが操作されたときに、関係記憶部と照合することにより制御対象となるリレーの識別コードを展開し、さらにリレーの開閉状態を決定した後、各識別コードを持つリレーを制御するように指示を与える。
【０００７】
ところで、対応関係データを親器に設定するために、従来から１個の器体に多数個のスイッチを集めたセレクタスイッチと称する装置が提供されている（たとえば、特許文献２参照）。セレクタスイッチを用いると、パターン制御やグループ制御の対象となるリレーを１箇所で集中的に選択することができる。
【特許文献１】特開平８−１５４２８５号公報
【特許文献２】特開２００３−３７８７９号公報
【発明の開示】
【発明が解決しようとする課題】
【０００８】
しかしながら、セレクタスイッチによって親器に対応関係データを設定したときには、親器において対応関係データが登録されたか否かをセレクタスイッチでは知ることができないものであるから、使用者は、スイッチを実際に操作しなければ、対応関係データが親器に設定されたことを確認することができないという問題があった。
【０００９】
本発明は上記事由に鑑みて為されたものであり、その目的は、関係設定器により設定した対応関係データを信号線を介して親器に登録すると、親器から登録したことを関係設定器に返送するようにして、対応関係データが親器に登録されたことを関係設定器において知ることができるようにしたリモコンシステムを提供することにある。
【課題を解決するための手段】
【００１０】
本発明は、信号線が接続される親器と、識別コードが付与されスイッチのオンオフ情報を信号線を通して親器に伝送する端末器と、識別コードが付与され端末器から親器に伝送されるオンオフ情報に呼応して親器が開閉を指示する複数個のリレーとを備えるリモコンシステムであって、親器は、スイッチとリレーとを識別コードにより対応付ける対応関係データが登録される関係記憶部と、信号線を通してスイッチのオンオフ情報を受けると対応関係データで当該スイッチに対応付けられたリレーの開閉を指示する親器制御部と、信号線を通して対応関係データを受けると対応関係データを関係記憶部に登録し登録完了後に登録通知を信号線に送出する登録処理部とを備え、信号線には対応関係データを作成し親器に転送する関係設定器が接続可能であって、関係設定器は、スイッチとリレーとの対応関係データを作成するデータ作成部と、作成した対応関係データを格納するデータ記憶部と、データ記憶部に格納された対応関係データを親器に転送する転送処理部と、転送処理部による対応関係データの転送後の規定時間内に親器からの登録通知を受信したときに受信報知を行う報知部とを備えることを特徴とする。
【００１１】
なお、スイッチは機械的スイッチのほか電子的スイッチでもよく、たとえば、光センサや人感センサを備えオンオフ情報を出力する構成の電子スイッチを用いることができる。
【発明の効果】
【００１２】
本発明の構成によれば、関係設定器から信号線を介して対応関係データを親器に伝送し親器において対応関係データの登録が完了すると親器では登録通知を信号線に送出するのであり、関係設定器は対応関係データを親器に転送した後の規定時間内に信号線を通して親器から登録通知を受信すると受信報知を行うから、親器において対応関係データが設定されたことを関係設定器により遠方で確認することが可能になる。その結果、関係設定器を使用する使用者は、転送した対応関係データが親器に設定されたことを確実に知ることができ安心感が得られるという利点を有する。
【発明を実施するための最良の形態】
【００１３】
図１（ａ）に本実施形態の全体構成を示す。図示例では、親器１にリレー４を付設し、親器１とは信号線５を介して接続された関係設定器２にスイッチ３を付設している。したがって、関係設定器２は端末器としての機能を有する。関係設定器２にはスイッチ３が必要であるが、スイッチ３を付設した端末器を関係設定器２とは別に設けてもよい。また、リレー４は親器１に付設されるが、リレー４を付設した端末器としての子器を親器１とは別に設け、親器１に接続された信号線５に子器を接続してもよい。信号線５は２線式であって伝送信号を時分割多重伝送方式で伝送する。
【００１４】
伝送信号は、ここでは、信号送出開始を示すスタートパルス、信号モードを示すモードデータ、端末器を各別に指定するためのアドレスを伝送するアドレスデータ、リレー４の開閉を指示するための制御データを伝送する制御データ（子器のリレー４の負荷番号を含む）、伝送エラーを検出するためのチェックサムデータ、端末器からの返送信号を受信するために信号線５の線間に一定電圧を印加する信号返送期間を含む。信号返送期間を除く期間には、データをパルス幅変調した複極（±２４Ｖ）の電圧信号を用いる。また、信号返送期間には、端末器において信号線５の線間に低インピーダンスを挿入するか否かによって信号線５に流れる電流を変化させる電流信号を用いる。子器のリレー４の負荷番号は、制御データのビット位置で指定する（たとえば、制御データを８ビットとすれば、２ビットずつを１つの負荷番号に割り当てることで、４個の負荷番号を区別する）。
【００１５】
図示例ではリレー４として親器１に付設したもののみを示しており、親器１に付設したリレー４の開閉を制御する際には伝送信号は不要であるが、親器１の内部において伝送信号と等価な信号を用いてリレー４を制御する。つまり、親器１に付設したリレー４も子器のリレー４と同様に、アドレスと負荷番号とに相当する情報を用いて開閉を制御する。以下では、親器１に付設したリレー４と子器に付設したリレー４とを等価に扱うために、リレー４を特定する情報を識別コードと呼ぶ。同様にして、スイッチ３を特定するための情報（アドレスと負荷番号との組合せ）も識別コードと呼ぶ。
【００１６】
一方、関係設定器２は、スイッチ３として個別制御スイッチ３ａと一括制御スイッチ３ｂとを備える。図示例では個別制御スイッチ３ａを８個備え、一括制御スイッチ３ｂを４個備えている。また、関係設定器２は、個別制御スイッチ３ａおよび一括制御スイッチ３ｂと組み合わせて用いる設定操作器２０を備える。設定操作器２０の構成および動作は後述する。関係設定器２は、埋込形の配線器具用の取付枠を用いることにより壁面等の施工面に取り付けられる。
【００１７】
親器１は、平面視でＬ字状に形成される器体１０を有し、器体１０に対してリレー４が着脱可能になっている。つまり、器体１０は、配線用遮断器の寸法（いわゆる分電盤協約寸法）である本体部１０ａと、本体部１０ａの側面の一部から本体部１０ａの長手方向に直交して延長されたリレー取付部１０ｂとでＬ字状に形成されており、リレー取付台１０ｂには最大８個までのリレー４が取付可能になっている。リレー取付台１０ｂにリレー４を取り付けた状態では、リレー４とリレー取付台１０ｂとを合わせた寸法が、分電盤協約寸法になるように設計されている。したがって、器体１０にリレー４を８個装着した状態では、分電盤のような盤に収納することができる。各リレー４は取付位置に応じて識別コードが付与される。つまり、リレー取付台１０ｂにおいてリレー４を取り付ける位置ごとに識別コードが付与されており、各位置に取り付けたリレー４は取付位置の識別コードで識別されることになる。
【００１８】
親器１の内部回路は、図２に示すように、電源ブロック１１とドライバーブロック１２と端子基板ブロック１３とにより構成される。電源ブロック１１は、本体部１０ａに設けた電源端子１１ａに接続される商用電源から内部回路の電源を生成する電源回路１１ｂを備える。また、ドライバーブロック１２は、商用電源からの電源供給が開始されたか否かを検出する電圧検出回路１２ａと、信号線５に接続するインターフェイスとしての信号送受信回路１２ｂとを備える。信号送受信回路１２ｂでは、信号線５に対して電圧信号である伝送信号を送出し、信号送受信回路１２ｂが信号返送期間において信号線５の線間に一定電圧を印加している間に関係設定器２（もしくは端末器）から電流信号である返送信号を受信する。
【００１９】
ところで、親器１の主要な回路は端子基板ブロック１３に設けられており、端子基板ブロック１３には、マイクロコンピュータからなる親器制御部１４が設けられる。親器制御部１４を構成するマイクロコンピュータは、スイッチ３とリレー４とを識別コードにより対応付ける対応関係データが登録される関係記憶部１５として機能するメモリを内蔵し、また、後述するように、信号線５を通して対応関係データを受けると対応関係データを関係記憶部１５に登録し登録完了後に登録通知を信号線５に送出する登録処理部１６としても機能する。
【００２０】
端子基板ブロック１３には、リレー４を着脱可能に接続するためのコネクタ１７が設けられ、またリレー４を駆動するための電源を電源回路１１ｂの出力から生成するリレー制御用電源回路１３ａが設けられる。リレー４は、リレー接点に接続された２端子の接点端子ｔ１と、コネクタ１７に接続される５端子の制御端子ｔ２とを備える。制御端子ｔ２のうちの２端子はリレー４に内蔵したコイルに通電するためのコイル端子であり、他の２端子はリレー４に内蔵されリレー接点と連動する補助接点に接続された補助接点端子であり、残りの１端子は一方の補助接点端子との間で短絡されている接続検出端子である。
【００２１】
したがって、端子基板ブロック１３には、接続検出端子と一方の補助接点端子とに接続されることによりリレー４がコネクタ１７に接続されているか否かを検出するリレー存在検知回路１８ａと、補助接点端子に接続されリレー接点の開閉状態を検出するリレー状態監視回路１８ｂと、コイル端子に接続されリレー接点をオンにするように通電するリレーＯＮ制御回路１８ｃと、コイル端子に接続されリレー接点をオフにするように通電するリレーＯＦＦ制御回路１８ｄとが設けられる。
【００２２】
リレー存在検知回路１８ａ、リレー状態監視回路１８ｂ、リレーＯＮ制御回路１８ｃ、リレーＯＦＦ制御回路１８ｄは、リレー４ごと（つまりコネクタ１７ごと）に設けられており、親器制御部１４に接続される。したがって、コネクタ１７へのリレー４の着脱やリレー接点の開閉状態が親器制御部１４に通知され、また、親器制御部１４からの指示でリレー接点の開閉状態が制御される。
【００２３】
なお、親器制御部１４を構成するマイクロコンピュータにはリセット回路１９が付設され、マイクロコンピュータの暴走時などに強制的にリセットすることができるようにしてある。また、ドライバーブロック１２に設けた信号送受信回路１２ｂに接続され信号線５を接続する信号端子１３ｂも設けられる。
【００２４】
しかして、親器１では、常時はアドレスをサイクリックに変更した伝送信号を周期的に信号線５に送出する常時ポーリングを行う。常時ポーリングの間に端末器においてスイッチ３が操作されると、端末器は伝送信号のスタートパルスに同期する割込信号を信号線５に送出し、割込信号を発生した端末器は割込フラグを設定したラッチ状態になる。
【００２５】
一方、親器制御部１４は割込信号を検出すると、モードデータをサーチモードとした伝送信号を送出し、ラッチ状態になっている端末器では、サーチモードの伝送信号を受信すると信号返送期間においてアドレスを返送する。こうしてアドレスを受け取った親器制御部１４は、当該アドレスの端末器にラッチ状態の返送を要求する伝送信号を伝送し、ラッチ状態か否かを確認することによって割込信号を発生した端末器であることを確認する。割込信号を発生した端末器であることが確認されると、ラッチ状態を解除させる伝送信号を伝送し、当該端末器のラッチ状態を解除させるのである。
【００２６】
親器制御部１４は、上述の動作によって端末器からの要求を受け取ると、関係記憶部１５に登録されている対応関係データに従って当該スイッチ３に対応付けられたリレー４の開閉を指示する。図示例では親器１にリレー４が接続されているから、親器制御部１４がリレーＯＮ制御回路１８ｃまたはリレーＯＦＦ制御回路１８ｄに対して指示を与え、リレー４の開閉状態を制御する。リレー接点をオンにするかオフにするかは、制御前の状態に依存し、制御前がオンであればオフに移行させ、制御前がオフであればオンに移行させる。また、制御対象となるリレー４が信号線５を介して接続された子器に付設されているときには、伝送信号を用いて子器に制御データを伝送し、子器に付設されたリレー４の開閉を指示する。なお、リレー４はラッチング型のものを用いる。
【００２７】
次に、関係設定器２について説明する。本実施形態で用いる関係設定器２は、上述したように、個別制御スイッチ３ａおよび一括制御スイッチ３ｂを設定操作器２０と組み合わせて構成される。設定操作機２０は、施工面に固定されるベースユニット（図示せず）と、ベースユニットに対して着脱可能な可搬ユニット（図３は設定操作器２０のうちの可搬ユニットを示している）とにより構成され、可搬ユニットをベースユニットに結合した状態とベースユニットから分離した状態とでは動作が異なるが、本実施形態ではベースユニットに可搬ユニットを結合した状態での動作に関するものであるから、分離状態での機能については詳述しない。
【００２８】
関係設定器２における設定操作器２０の器体には、図３に示すように、液晶表示器からなる表示部２１と、押操作される複数個のスイッチ（後述する）からなる操作部とが設けられる。スイッチは、たとえば薄肉の樹脂シートの弾性を利用して接点を開閉する構成のものであり、微小ストロークで押操作される。表示部２１の上段には三角形状のマークＭ１が表示され、マークＭ１の位置により、関係設定器２の動作状態が、「アドレス設定」「通常モード」「Ｐ・Ｇ設定」のいずれであるかが示される。
【００２９】
「アドレス設定」は可搬ユニットをベースユニットから分離したときに自動的に選択され、この動作状態では端末器に対して個別にアドレスを設定する設定器として機能する。
【００３０】
端末器にはＥＥＰＲＯＭが設けられ、端末器のアドレスはＥＥＰＲＯＭに書き込まれる。また、ＥＥＰＲＯＭに対するデータの書込および読出は光ワイヤレス信号を用いて行う。可搬ユニットはベースユニットから分離した状態では、ワイヤレス信号の授受が可能になる構成であって、関係設定器２には、図４に示すように、発光素子３１ａおよび光発信回路３１ｂと、受光素子３２ａおよび光受信回路３２ｂとが設けられる。
【００３１】
スイッチ３の機能には、個別制御（個別）かパターン制御（Ｐ）かグループ制御（Ｇ）かの種別がある。表示部２１の中央部には「個別」「Ｐ」「Ｇ」の文字が表記され三角形のマークＭ２の位置でスイッチ３の機能が示される。機能の選択操作は機能選択キー（スイッチ）Ｋ１で行う。
【００３２】
個別制御では、たとえば１〜４８の数値でアドレスを表し、４回路の負荷番号を各アドレスに設定可能とする。また、パターン制御およびグループ制御では、たとえば１〜１６の数値でアドレスを表す。表示部２１の右側にはアドレスが表示され、左側には負荷番号が示される。アドレスの選択は２個のアドレス切換キー（スイッチ）Ｋ３，Ｋ４を用いる。アドレス切換キーＫ３はアドレスを増加方向に変化させ、アドレス切換キーＫ４はアドレスを減少方向に変化させる。また、負荷番号の選択は回路切換キー（スイッチ）Ｋ２を用いる。機能選択キーＫ１および回路切換キーＫ２は選択肢をサイクリックに選択する。
【００３３】
「アドレス設定」では、表示部２１に表示されたアドレスを端末器に設定する際には設定キーＫ５を押操作し、端末器に設定されたアドレスを受け取って表示部２１に表示させる際には確認キーＫ６を押操作する。さらに、表示部２１に表示されているアドレスを消去するにはクリアキーＫ７を用い、表示部２１に表示されている識別コードを１つサイクリックに変化させるには順送りキーＫ８を用いる。
【００３４】
一方、可搬ユニットをベースユニットに結合した状態では、「通常モード」と「Ｐ・Ｇ設定」とが選択可能になる。「通常モード」と「Ｐ・Ｇ設定」とは切換キーＫ１０の押操作毎に交互に選択される。「通常モード」は個別制御スイッチ３ａと一括制御スイッチ３ｂとを用いて所望のリレー４の開閉を制御する動作モードであり、個別制御スイッチ３ａと一括制御スイッチ３ｂとのいずれかを押操作すると、上述したように伝送信号に同期する割込信号を発生し、親器１において関係記憶部１５に登録されている対応関係データを用いて、スイッチ３に対応するリレー４の開閉を制御する。
【００３５】
また、「Ｐ・Ｇ設定」が選択されているときには、機能選択キーＫ１とアドレス切換キーＫ３，Ｋ４とのほかに、登録キーＫ１１とクリアキーＫ１２とが使用可能になる。「Ｐ・Ｇ設定」では、パターン制御またはグループ制御において一括制御スイッチ３ｂに対してどのリレー４を対応付けるかを、個別制御スイッチ３ａの操作によって選択する。つまり、個別制御スイッチ３ａにはそれぞれリレー４が一対一に対応付けられているから、一括制御スイッチ３ｂの押操作時に一括して制御しようとする複数個のリレー４を、個別制御スイッチ３ａによって指定するのである。また、パターン制御とグループ制御とを選択するだけであるから、機能選択スイッチＫ１は押操作毎に「Ｐ」と「Ｇ」とを交互に切り換えることになる。
【００３６】
具体的な操作例を説明する。切換キーＫ１０により「Ｐ・Ｇ設定」を選択すると、親器１に対して伝送信号により登録モードに移行したことが通知される。登録モードに移行した後に、いずれかの一括制御スイッチ３ｂを押操作すると当該一括制御スイッチ３ｂに設定されているパターンアドレスまたはグループアドレスが表示部２１に表示される。また、遠方の一括制御スイッチ３ｂについてパターン制御またはグループ制御の対象であるリレー４を対応付ける場合には、パターン制御とグループ制御との別を機能選択キーＫ１で選択し、アドレス切換キーＫ３，Ｋ４を用いてパターンアドレスまたはグループアドレスを指定する。
【００３７】
パターン制御またはグループ制御を行う一括制御スイッチ３ｂが決まると、個別制御スイッチ３ａを用いることで、制御対象であるリレー４を指定することが可能になる。パター制御の場合には、個別制御スイッチ３ａの押操作毎に、制御対象外とオンとオフとがサイクリックに選択され、グループ制御の場合には、個別制御スイッチ３ａの押操作毎に、制御対象外とオンとが交互に選択される。したがって、一括制御スイッチ３ｂでパターン制御を行う場合には、各リレー４を制御対象外とするか操作時にオンにするか操作時にオフにするかを各リレー４ごとに指定できる。また、一括制御スイッチ３ｂでグループ制御を行う場合には、指定したリレー４を制御対象外とするか操作時にオンにするかを一括して指定できる。このように、設定操作器２０と個別制御スイッチ３ａと一括制御スイッチ３ｂとによりスイッチ３とリレー４との対応関係データを作成するデータ作成部が構成される。
【００３８】
上述のようにして各一括制御スイッチ３ｂと制御対象であるリレー４との対応関係を設定すると、設定内容はデータ記憶部３３ａ（図４参照）に格納される。このようにしてデータ記憶部３３ａに格納された対応関係データは、登録キーＫ１１を押操作すると転送処理部３３ｂを介して親器１に転送される。なお、クリアキーＫ１２を押操作すれば、その時点で表示器２１に表示されているパターンアドレスまたはグループアドレスの内容のクリアが親器１に対して指示され、親器１において関係記憶部１５に登録されている対応関係データが消去される。
【００３９】
上述の動作を行うために、設定操作器２０（可搬ユニット）には、図４に示すように、マイクロコンピュータを主構成とする設定器処理部３０が設けられ、設定器処理部３０には信号線５との間のインターフェイスとなる多重伝送送受信回路３４が接続される。信号線５に接続される信号端子３５には電源回路３６が接続され、電源回路３６では、可搬ユニットがベースユニットに結合された状態であって信号線５に接続されているときには、信号線５を通過する伝送信号を整流平滑して内部電源を確保し、ベースユニットから可搬ユニットを外した状態では電池Ｂから内部回路への給電を行う。設定操作器２０は常時は動作させる必要がないから、電源キーＫ９が付設されており、電源の入切が可能になっている。可搬ユニットをベースユニットに結合した状態で電源キーＫ９を押操作して電源をオンにすれば、「通常モード」で動作する。
【００４０】
さらに、設定操作器２０には、上述した各キーＫ１〜Ｋ１２を備えキーＫ１〜Ｋ１２の操作情報を設定器処理部３０に与える操作入力回路３７、種々の状態を報知する報知部としてのブザー回路３８を備える。また、設定器処理部３０にクロック信号を与える発振回路３９および異常動作時などにリセットするためのリセット回路４０も付設される。
【００４１】
ところで、上述したようにデータ記憶部３３ａに格納された対応関係データを親器１に転送し、親器１の関係記憶部１５に格納する際には、親器１と関係設定器２との間で、図１（ｂ）の手順で情報が伝送される。すなわち、関係設定器２は親器１に対しては端末器と同様に機能し、登録キーＫ１１が操作されると、伝送信号のスタートパルスに同期して割込信号を信号線５に送出し（Ｐ１）、関係設定器２は割込フラグを設定したラッチ状態になる。一方、親器制御部１４は割込信号を検出すると、モードデータをサーチモードとした伝送信号を送出する（Ｐ２）。ラッチ状態になっている関係設定器２は、サーチモードの伝送信号を受信すると信号返送期間においてアドレスを返送し（Ｐ３）、アドレスを受け取った親器制御部１４は、当該アドレスに対して（つまり、関係設定器２に対して）ラッチ状態の返送を要求する伝送信号を伝送し（Ｐ４）、ラッチ状態か否かを確認することによって対応関係データの登録要求のために割込信号を発生したことを確認する（Ｐ５）。また、この期間に対応関係データを伝送させる。親器制御部１４は関係設定器２から対応関係データを受け取ると、ラッチ状態を解除させる伝送信号を伝送し（Ｐ６）、当該端末器のラッチ状態を解除させる（Ｐ７）。さらに、ラッチ状態が解除されると対応関係データを関係記憶部１５に登録したことを通知する（Ｐ８）。
【００４２】
関係設定器２の設定器処理部３０では、転送処理部３３ｂによる対応関係データの転送後から規定した時間内に親器１から対応関係データの登録の通知を受信すると、報知部としてのブザー回路３８を制御し、ブザーを鳴動させる。したがって、使用者は登録キーＫ１１の押操作後にブザーが鳴動することによって、対応関係データが親器に登録されたことを確認することができる。
【図面の簡単な説明】
【００４３】
【図１】本発明に用いる遠隔制御監視システムを示す構成図である。
【図２】同上に用いる伝送ユニットを示すブロック図である。
【図３】同上の動作説明図である。
【図４】従来例を示す動作説明図である。
【符号の説明】
【００４４】
１  親器
２  関係設定器（データ作成部）
３  スイッチ
３ａ  個別制御スイッチ（データ作成部）
３ｂ  一括制御スイッチ（データ作成部）
４  リレー
５  信号線
１４  親器制御部
１５  関係記憶部
１６  登録処理部
３３ａ  データ記憶部
３３ｂ  転送処理部
３８  ブザー回路（報知部）
【図１】
2006311339.tif 000003
【図２】
2006311339.tif 000004
【図３】
2006311339.tif 000005
【図４】
2006311339.tif 000006